(57)【要約】【課題】チェーンを構成する部品の少なくとも一つが合成樹脂製部品である物品搬送用のチェーンにおいて、合成樹脂製部品が破損して破片となった場合、異物である破片を金属検知機で検出することができる物品搬送用のチェーンを提供することを目的とする。【解決手段】物品搬送用のチェーン１を構成する部品、例えばトッププレート２及びオフセットリンク３からなるリンク４が合成樹脂で一体に成形される。この合成樹脂製のリンク４は、金属検知機で検出可能な高透磁性の金属部材を配合した合成樹脂で形成されている。このリンク４の一部が破損して破片が搬送物品に混入した場合、その破片を金属検知機で検出することができる。【選択図】    図１
2004224557.tif 000002
【特許請求の範囲】
【請求項１】
チェーンを構成する部品の少なくとも一つが合成樹脂製部品である物品搬送用のチェーンにおいて、
前記合成樹脂製部品が金属検知機で検出可能な高透磁性の金属部材を配合した合成樹脂で形成されていることを特徴とする物品搬送用のチェーン。
【請求項２】
前記金属部材が繊維状であることを特徴とする請求項１に記載の物品搬送用のチェーン。
【請求項３】
前記金属部材がフレーク状であることを特徴とする請求項１に記載の物品搬送用のチェーン。
【請求項４】
前記金属部材が粉末状であることを特徴とする請求項１に記載の物品搬送用のチェーン。
【発明の詳細な説明】
【０００１】
【発明の属する技術分野】
本発明は、チェーンを構成する部品の少なくとも一つが合成樹脂製部品である物品搬送用のチェーンに関し、特に、この合成樹脂製部品が金属探知器で検出可能な金属部材を配合した合成樹脂で形成されている物品搬送用のチェーンに関する。
【０００２】
【従来の技術】
従来、野菜、鮮魚、パン、うどん、食肉等の食品や、医薬品や、缶、ペットボトル、ビン等の容器や、電子部品や、繊維製品等の物品を搬送する手段として、チェーンの構成部品を全て合成樹脂製部品とした物品搬送用のチェーン、あるいはチェーン構成部品のいくつかを合成樹脂製部品とした物品搬送用のチェーンが採用されている。
【０００３】
チェーンの構成部品の幾つかに合成樹脂製部品を用いた物品搬送用のチェーンには、種々のタイプのものがあり、例えば、物品載置用のトッププレート付きの合成樹脂製オフセットリンクからなる物品搬送用のチェーン（特許文献１；特開２０００−７２２１４号公報、特開平９−１４３５８号公報）、金属製又は合成樹脂製の内リンクプレート及び外リンクプレートからなる本体チェーンの上部に物品載置用の合成樹脂製トッププレートを設けた物品搬送用のチェーン、物品載置用搬送面を備えたリンクからなる物品搬送用のチェーン（特許文献２；特開平１１−３３４８３４号公報、特開平６−２８６８３４号公報）、内リンクプレートと外リンクプレートとからなる一対の本体チェーンの上部に物品載置用の合成樹脂製スラットが掛け渡されたスラットコンベヤとした物品搬送用のチェーン等が広く知られている。
【０００４】
上記物品載置用のトッププレート付きの合成樹脂製オフセットリンクからなる物品搬送用のチェーン（特許文献１；特開２０００−７２２１４号公報）は、物品載荷用平坦部（トッププレート）と連結用リンク部（オフセットリンク）とが合成樹脂により一体に成形されたリンクを連結ピンで多数連結して形成されたものである。
【０００５】
上記物品載置用搬送面を備えたリンクからなる物品搬送用のチェーン（特許文献２；特開平１１−３３４８３４号公報）は、合成樹脂製のリンクを合成樹脂製又は金属製の連結ピンで多数連結して形成されたものである。
【０００６】
【特許文献１】
特開２０００−７２２１４号公報
【特許文献２】
特開平１１−３３４８３４号公報
【０００７】
【発明が解決しようとする課題】
従来の物品搬送用のチェーンは、チェーンの構成部品が合成樹脂製であるため、例えば、食品の製造工程、加工工程等における搬送中に、合成樹脂製部品が何らかの原因により破損することがある。例えば、合成樹脂製のトッププレート（図１〜図３に示すようなトッププレート）の前後端部は薄肉となっているため、トッププレート上に搬送物品を落下により載荷するときに、その衝撃によってトッププレートの一部が破損したり、あるいはガラス容器、ビン等の搬送物品が搬送中に転倒して、そのかけらがトッププレート間に挟まると、スプロケットとの噛み合い時にトッププレート間に挟まれているかけらにより、トッププレートの一部が破損することがある。そうすると、合成樹脂製部品の破片が異物となって食品などに混入する恐れがある。
【０００８】
通常、食品の製造、加工等の工程中には、金属検知機、Ｘ線検知機が配置されていて、混入異物の検出が行なわれるが、合成樹脂で成形されたトッププレートなど合成樹脂製部品の一部が破損し、その破片が異物として混入した場合、この異物がＸ線検知機で検出される可能性はあるが、金属検知機では検出することができない、という問題がある。
【０００９】
そこで、本発明は、前述したような従来技術の問題点を解決し、チェーンを構成する部品の少なくとも一つが合成樹脂製部品である物品搬送用のチェーンにおいて、合成樹脂製部品が破損して破片となった場合、異物である破片を金属検知機で検出することができる物品搬送用のチェーンを提供することを目的とする。
【００１０】
【課題を解決するための手段】
前記目的を達成するために、本発明は、上記問題点の解決手段として、チェーンの合成樹脂製部品を金属検知機で検出可能な高透磁性の金属部材が配合された合成樹脂で成形したものである。請求項１に係る本発明は、チェーンを構成する部品の少なくとも一つが合成樹脂製部品である物品搬送用のチェーンにおいて、前記合成樹脂製部品が金属検知機で検出可能な高透磁性の金属部材を配合した合成樹脂で形成されている物品搬送用のチェーン、という構成としたものである。また、請求項２〜４に係る本発明は、上記物品搬送用のチェーンにおいて、前記合成樹脂製部品が繊維状、フレーク状、粉末状の金属部材を配合した合成樹脂で成形されている、という構成としたものである。
【００１１】
【作用】
請求項１〜４に係る本発明は、チェーンを構成する合成樹脂製部品が物品搬送中に破損して破片が生じた場合、この合成樹脂製部品が金属検知機で検出可能な高透磁性の金属部材を配合した合成樹脂で成形したものであることにより、搬送物品中に混入した破片は金属検知機で検出が可能となる。
【００１２】
【発明の実施の形態】
本発明の実施例を図１〜図３に基づいて説明する。図１は物品搬送用のチェーンの一部を示す斜視図、図２は同チェーンの一部側面図、図３は同チェーンの一部裏面図である。
【００１３】
物品搬送用のチェーン１は、物品載置用のトッププレート２付きのオフセットリンク３からなるもので、物品載置用のトッププレート２とオフセットリンク３とが一体に成形された合成樹脂製リンク４を金属製又は合成樹脂製の連結ピン５で多数連結して形成される。この合成樹脂製のリンク４及び連結ピン５は、金属検知機で検出可能な高透磁性の金属部材を配合した合成樹脂で成形されたものである。
【００１４】
この場合、合成樹脂としては、ポリアミド、ポリアセタール、あるいはポリエステル、ポリプロピレン等ポリオレフィン系の合成樹脂を用いる。また、合成樹脂に金属部材を配合した場合、金属は合成樹脂と相容性がないため、強度低下、衝撃値低下などの物性低下を引き起こす可能性があるため、上記合成樹脂以外のものを用いる場合は、破損しにくい靭性のある合成樹脂を採用することが好ましい。
【００１５】
金属材料としては、Ｆｅ、Ｎｉ，Ｃｏやこれらの合金、例えば、高透磁性のオーステナイト系ステンレス、パーマロイ、フェライト等を用い、金属部材は、これら金属材料をフレーク状、繊維状、粉末状としたものである。
【００１６】
上記のように構成された物品搬送用のチェーン１は、物品の搬送中に何らかの原因で合成樹脂製部品が破損して、その破片が搬送物品に混入した場合、例えば、物品が隣接する非透磁性のコンベヤベルトに移載されて搬送される間に、該コンベヤベルトの上方又は下方に設けられた金属検知機により異物である破片の検出が行なわれる。
【００１７】
この金属検知機での異物検出は、破片が金属検知機の検出ヘッド近傍を通過するとき高透磁性金属の移動で生じる磁界変化、磁場変化を検出することにより行なわれる。この場合、透磁率の低い金属部材を用いて金属検知機の感度を上げると誤作動が生じ易いので、透磁率が高い金属からなる金属部材を用いることにより、金属検知機の誤作動を生じることなく、異物である破片が検出される。
【００１８】
上記物品搬送用のチェーン１は次の作用効果を奏する。リンク４、連結ピン５等のチェーン構成部品が金属検知機で検出可能な高透磁性の金属部材を配合した合成樹脂で形成されているので、物品搬送中に例えばリンク４を形成するトッププレート２の一部が破損して、搬送物品中に破片が混入した場合、金属検知機の感度を上げることなく、異物である破片が混入していることを検知することができる。
【００１９】
チェーン構成部品であるリンク４、連結ピン５が金属部材を配合した合成樹脂で形成されていることにより、導電性あるいは帯電防止性が付与されるので、合成樹脂製品、例えば、合成樹脂容器などの搬送時における静電気対策を図ることができる。また、リンク４などが金属繊維を配合した合成樹脂で成形されている場合、金属繊維が補強材となり、リンクの強度向上を図ることができる。
【００２０】
以上本発明の実施例として、物品載置用のトッププレート２付きのオフセットリンク３からなるリンク４を連結ピン５で連結して形成された物品搬送用のチェーンについて説明したが、これ以外に、本発明は、チェーンの構成部品の少なくとも一つが合成樹脂で形成された合成樹脂製部品からなる種々のタイプの物品搬送用のチェーンを対象とするものである。
【００２１】
すなわち、本発明の物品搬送用のチェーンは、例えば、図４に示すように、合成樹脂製のオフセットリンク６を連結ピン７で多数連結し、オフセットリンク上に直接物品を載置して搬送するようにした物品搬送用のチェーン８、あるいは図５に示すように、金属製又は合成樹脂製の内リンクプレート９及び外リンクプレート１０からなる本体チェーン１１の上部に物品載置用の合成樹脂製トッププレート１３を設けた物品搬送用のチェーン１４でもよい。なお、図５には本体チェーン１１として、金属製又は合成樹脂製のローラ１２を有する所謂ローラチェーンを示したが、この本体チェーンはローラのない所謂ブシュチェーンでもよい。
【００２２】
上記以外にも、図示は省略するが、物品載置用搬送面を備えたリンクからなる物品搬送用のチェーン（例えば特許文献２のタイプ）、金属製又は合成樹脂製のアタッチメント付きの内リンクプレート及び外リンクプレートからなる本体チェーンを離間対抗させて２本配置し、その上部にアタッチメントを介して物品載置用の合成樹脂製スラットを掛け渡したスラットコンベヤとした物品搬送用のチェーンでもよい。
【００２３】
【発明の効果】
以上説明したように、本発明は、チェーンを構成する部品の少なくとも一つが合成樹脂製部品である物品搬送用のチェーンにおいて、この合成樹脂製部品が金属検知機で検出可能な高透磁性の金属部材を配合した合成樹脂で形成されているので、物品搬送中に合成樹脂製チェーン構成部品の一部が破損して、搬送物品中に破片が混入した場合、異物である破片を検出することができる。
【００２４】
チェーン構成部品が金属部材を配合した合成樹脂で形成されていることにより、導電性あるいは帯電防止性が付与されるので、合成樹脂製品、例えば、合成樹脂容器などの搬送時における静電気対策を図ることができる。また、チェーンの構成部品が金属繊維を配合した合成樹脂で成形されている場合、金属繊維が補強材となり、チェーン構成部品の強度向上を図ることができる。
【図面の簡単な説明】
【図１】本発明実施例を示し、物品搬送用のチェーンの一部を示す斜視図である。
【図２】同上チェーンの一部側面図である。
【図３】同上チェーンの一部裏面図である。
【図４】本発明における他の物品搬送用のチェーンを示す部分斜視図である。
【図５】本発明における他の物品搬送用のチェーンを示す部分斜視図である。
【符号の説明】
１    物品搬送用のチェーン
２    トッププレート
３    オフセットリンク
４    リンク
５    連結ピン
６    オフセットリンク
７    連結ピン
８    物品搬送用のチェーン
９    内リンクプレート
１０  外リンクプレート
１１  本体チェーン
１２  ローラ
１３  トッププレート
１４  物品搬送用のチェーン
【図１】
2004224557.tif 000003
【図２】
2004224557.tif 000004
【図３】
2004224557.tif 000005
【図４】
2004224557.tif 000006
【図５】
2004224557.tif 000007